(57)【要約】【課題】側臥位で横たわっても使用者の身体に悪影響を与え難くし得る寝具を提供する。【解決手段】寝具１０では、一端部１０ａ側から他端部１０ｂ側に向かって逆ハ字形状に延びる２本の長溝２０，３０を備える。一方の長溝２０は、使用者１００が仰臥位で寝具１０に横たわった場合において、使用者１００の右肩甲骨１０２の肩峰外端１０２ａまたは右上腕大結節１０２ｂと右大腿骨１０８の大転子１０８ａとを結んだ結線ｒを使用者１００の表面に投射した一方の投射線ｒ’上に位置し、他方の長溝３０は、使用者１００の左肩甲骨１０３の肩峰外端１０３ａまたは左上腕大結節１０３ｂと左大腿骨１０９の大転子１０９ａとを結んだ結線ｓを寝具１０の表面に投射した他方の投射線ｓ’に位置する。使用者１００の姿勢が仰臥位から側臥位に転位しても、肩部から腰部に至る左右両側が長溝２０，３０内に収容されて使用者１００の頸部や腰椎に歪みを生じさせ難くする。【選択図】図３
2015002937.tif 000002
【特許請求の範囲】
【請求項１】
敷き布団またはマットレスとして使用される寝具であって、
当該寝具に横たわった使用者の頭部が位置する当該寝具の一端側から他端側に向かって逆ハ字形状に延びる２本の長溝を備え、
使用者が仰臥位で当該寝具に横たわった場合、前記２本の長溝のうち、
一方の長溝は、前記使用者の右肩甲骨の肩峰外端または右上腕大結節と右大腿骨の大転子とを結んだ線を当該寝具の表面に投射した一方の線を含んで位置しており、
他方の長溝は、前記使用者の左肩甲骨の肩峰外端または左上腕大結節と左大腿骨の大転子とを結んだ線を当該寝具の表面に投射した他方の線を含んで位置している、
ことを特徴とする寝具。
【請求項２】
前記一方の線および前記他方の線において、前記２本の長溝のうち少なくとも一方は、前記仰臥位の使用者の肋骨最外部位と前記大転子との間には形成されていない不連続溝であることを特徴とする請求項１に記載の寝具。
【請求項３】
前記２本の長溝は、当該寝具の表裏を貫通する貫通溝であることを特徴とする請求項１または２に記載の寝具。
【発明の詳細な説明】
【技術分野】
【０００１】
本発明は、敷き布団またはマットレスとして使用される寝具に関するものである。
【背景技術】
【０００２】
敷き布団やマットレス等の寝具に関する技術として、例えば、下記特許文献１に開示される「マットレス」がある。この開示技術では、使用者が仰向け（仰臥位）にマットレスに横たわった場合に、当該使用者の両肩が触れる部分に溝部を設ける。これにより、当該使用者が胎児型や半胎児型と称される横向き姿勢（側臥位）で就寝しても、肩部や上腕部がマットレスの弾発力等により押圧されない。そのため、当該使用者は、熟睡することができ、また肩こりを解消することができる。
【先行技術文献】
【特許文献】
【０００３】
【特許文献１】実開平１−６１１６３号公報
【発明の概要】
【発明が解決しようとする課題】
【０００４】
ところで、人間は睡眠中に何度も寝返りを打つ。例えば、図８(A)に示すように就寝時には王様型やヒトデ型と称される仰向け姿勢（仰臥位）Ｈであっても、寝返りの後には胎児型等の側臥位をとっている場合がある。この場合の側臥位は、上述した就寝当初から側臥位をとる姿勢と異なり、図８(B)に示す側臥位Ｈ’や図８(C)に示す側臥位Ｈ”のように、マットレスＭの長手方向の中心軸Ｉに対して傾斜した軸Ｊ，Ｋに沿うような姿勢になり易いことが本願発明者の知見により確認されている。
【０００５】
即ち、図８(A)に示す仰臥位Ｈから、図８(B)に示す側臥位Ｈ’や図８(C)に示す側臥位Ｈ”の姿勢に転位する場合、殿部（臀部）Ｗを軸にして上半身が回転するように姿勢が変化する。例えば、仰臥位Ｈから、右肩がマットレスＭに接するように、左肩を上方に向けて体を回転させ寝返りを打った場合には、殿部Ｗを中心に図８の紙面において反時計回り方向に体が移動する。そのため、寝返り後の側臥位Ｈ’は、マットレスＭの中心軸Ｉに対して反時計回り方向に傾いた軸Ｊに沿った姿勢になる。
【０００６】
これに対して、図８(A)に示す仰臥位Ｈから、左肩がマットレスＭに接するように、右肩を上方に向けて体を回転させる寝返りを打った場合には、殿部Ｗを中心に図８の紙面において時計回り方向に体が移動する。そのため、寝返り後の側臥位Ｈ”は、マットレスＭの中心軸Ｉに対して時計回り方向に傾いた軸Ｋに沿った姿勢をとる。
【０００７】
このように、睡眠中の寝返りにおいては、図８(B)や図８(C)に示すような傾いた軸Ｊ，Ｋに沿う側臥位Ｈ’，Ｈ”を使用者がとる。そのため、睡眠中の寝返りについては上記特許文献１の開示技術を適用しても、予定した溝部に使用者の肩部や上腕部が収まるとは限らない。また、特許文献１のマットレスには、殿部の腸骨等による張り出した部位に対応する溝部は存在しない。そのため、使用者の殿部に対するマットレスの弾発力等による影響は考慮されていない。
【０００８】
本発明は、上述した課題を解決するためになされたもので、側臥位で横たわっても使用者の身体に悪影響を与え難くし得る寝具を提供することを目的とする。
【課題を解決するための手段】
【０００９】
上記目的を達成するため、特許請求の範囲に記載された請求項１の技術的手段を採用する。この手段によると、寝具に横たわった使用者の頭部が位置する当該寝具の一端側から他端側に向かって逆ハ字形状に延びる２本の長溝を備え、使用者が仰臥位で当該寝具に横たわった場合、２本の長溝のうち、一方の長溝は、使用者の右肩甲骨の肩峰外端または右上腕大結節と右大腿骨の大転子とを結んだ線を当該寝具の表面に投射した一方の線を含んで位置しており、他方の長溝は、使用者の左肩甲骨の肩峰外端または左上腕大結節と左大腿骨の大転子とを結んだ線を当該寝具の表面に投射した他方の線を含んで位置している。
【００１０】
ここで、本願発明者により、図８(A)に示す仰臥位Ｈからの寝返りの後に図８(B)に示す側臥位Ｈ’をとった場合、側臥位Ｈ’が沿う軸Ｊは、仰臥位で当該寝具に横たわった使用者の右肩甲骨の肩峰外端または右上腕大結節と右大腿骨の大転子とを結んだ線に相当することが確認されている。また、寝返りの後に図８(C)に示す側臥位Ｈ”をとった場合、側臥位Ｈ”が沿う軸Ｋは、仰臥位で当該寝具に横たわった使用者の左肩甲骨の肩峰外端または左上腕大結節と左大腿骨の大転子とを結んだ線に相当することが確認されている。つまり、寝返りを打つ場合、殿部（骨盤）は左右方向に移動し難いのに対し、上半身は左右の肩甲骨の肩峰外端または左右の上腕大結節を支承にして左右方向に移動し易い。そのため、寝返り後の側臥位Ｈ’，Ｈ”は、軸Ｊ，Ｋに沿った姿勢になり易いことを本願発明者は臨床時の知見等により確認している。
【００１１】
これにより、当該寝具の使用者が、睡眠中に仰臥位から寝返りをして側臥位をとったとしても、当該寝具は、そのような寝返り後の側臥位が沿う軸の位置に長溝を備えている。そして、この長溝は、肩部において左右両側に最も張り出している左右の肩甲骨の肩峰外端または左右の上腕大結節と、殿部において左右両側に最も張り出している左右の大腿骨の大転子と、を結んだ線を含んで位置している。そのため、寝返りによる側臥位において、肩部から殿部に至る使用者の左右両側がこのような長溝内に収容される。
【００１２】
また、特許請求の範囲に記載された請求項２の技術的手段を採用する。この手段によると、一方の線および他方の線において、２本の長溝のうち少なくとも一方は、仰臥位の使用者の肋骨最外部位と大転子との間には形成されていない不連続溝である。これにより、肋骨最外部位と大転子との間、つまり人体の左右両側において張り出していない（くびれている）部分に対しては、当該寝具が当接する。
【００１３】
また、特許請求の範囲に記載された請求項３の技術的手段を採用する。この手段によると、２本の長溝は、当該寝具の表裏を貫通する貫通溝である。これにより、長溝が貫通していない場合に比べて、当該寝具の加工作業や縫製作業が容易になる。
【発明の効果】
【００１４】
請求項１の発明では、肩部において左右両側に最も張り出している左右の肩甲骨の肩峰外端または左右の上腕大結節と、殿部において左右両側に最も張り出している左右の大腿骨の大転子と、を結んだ線を含んで位置する長溝内に、肩部から殿部に至る使用者の左右両側が収容される。このため、(1)使用者の頸部が当該寝具に接近することから、側臥位における枕の高さが仰臥位に合わせた枕の高さに近づく。そのため、使用者の頸椎に歪みが生じ難い。(2)使用者の肩部においては上腕部も長溝内に収容されることから、上腕部が当該寝具に圧迫され難くなる。そのため、当該使用者の上位胸椎における腕の痺れが生じ難い。(3)使用者の殿部においては腸骨や大腿骨の大転子も長溝内に収容されることから、これらが当該寝具に圧迫され難くなる。そのため、当該使用者の腰椎に歪みが生じ難い。したがって、側臥位で横たわっても使用者の身体に悪影響を与え難くすることができる。
【００１５】
請求項２の発明では、人体の左右両側において張り出していない（くびれている）部分に対しては、当該寝具が当接する。そのため、長溝が連続して形成されている場合に比べて、人体の左右両側に張り出しのない（くびれ）部位において隙間ができ難い。したがって、側臥位における安定感やフィット感を使用者に与えることができる。
【００１６】
請求項３の発明では、長溝が貫通していない場合に比べて、当該寝具の加工作業や縫製作業が容易になる。そのため、長溝が貫通していない場合に比べて、短期間に当該寝具を製造することが可能になる。したがって、製造コストの低減につながる。
【図面の簡単な説明】
【００１７】
【図１】本発明の寝具の構成例（連続溝の場合）を示す図で、図１(A)はその平面図、図１(B)は図１(A)に示す１Ｂ−１Ｂ’線による断面図、図１(C)は長溝を貫通させた場合の１Ｂ−１Ｂ’線による断面図、である。
【図２】本発明の寝具の構成例を示す図（不連続溝の場合）で、図２(A)はその平面図、図２(B)は図２(A)に示す２Ｂ−２Ｂ’線による断面図、図２(C)は長溝を貫通させた場合の２Ｂ−２Ｂ’線による断面図、である。
【図３】本実施形態の寝具における長溝の配置関係を示す図で、図３(A)は寝具の平面図、図３(B)は使用者の背中側から見た骨格の例を示す説明図、図３(C)は使用者の左側から見た骨格の例を示す説明図、である。
【図４】本実施形態の寝具の使用者が側臥位になったときにおける平面視による説明図で、図４(A)は寝具の中心軸に背を向ける姿勢をとる場合、図４(B)は寝具の中心軸に顔を向ける姿勢をとる場合、である。
【図５】図５(A)は、本実施形態の寝具の使用者が側臥位になったときにおける側面による説明図で図１に示す長溝（連続溝）の場合、図５(B)は同様の説明図で図２に示す長溝（不連続溝）の場合、である。また、図５(C)は、使用者の頸部と枕の位置関係を示す説明図で側臥位の場合、図５(D)は同様の説明図で仰臥位の場合、である。
【図６】本実施形態の寝具に試用者が仰臥位になったときにおける説明図で、図６(A)は平面視によるもの、図６(B)は図１(B)に相当する断面図である。
【図７】本発明の寝具の他の例を示す図で、図７(A)は図１(A)に相当する平面図、図７(B)は図４に相当する平面視による説明図、である。
【図８】寝相の例を示す説明図で、図８(A)は王様型またはヒトデ型の寝相、図８(B)および図８(C)は胎児型の寝相、をそれぞれ示す。
【発明を実施するための形態】
【００１８】
以下、本発明の寝具の実施形態について図を参照して説明する。本発明の寝具は、使用者が横たわって使用するもので、典型的には、敷き布団やマットレスがこれに相当する。
【００１９】
図１に示すように、寝具１０は、主に、カバー１１と本体部１２により構成されている。寝具１０は、図１(A)に示すように、一般的には、長方形状をなしており、使用者の身長に合わせた長さに設定されている。成人の標準体型用の場合、例えば、幅方向（短手方向）が１００cm（センチメートル）、長さ方向（長手方向）が２１０cmである。なお、同図に示す座標系を用いて、以下、幅方向のことを「Ｘ軸方向」、長さ方向のことを「Ｙ軸方向」、厚さ方向のことを「Ｚ軸方向」、と称する。
【００２０】
カバー１１は、本体部１２の周囲を覆ってそれを収納する包皮体で、例えば、１枚の布からなるものや、２枚の布の間に綿等を挟み込んでキルティング加工したもの等がある。なお、カバー１１の表側は、外部に露出することから、特許請求の範囲に記載の「寝具の表面」に相当し得るものである。
【００２１】
本体部１２は、横たわった使用者の全身を支える支持体である。例えば、当該寝具１０が敷き布団の場合には、布団綿がこれに相当する。また当該寝具１０がマットレスの場合、３層構造のものでは、ソフト層、支持層およびクッション層がこれに相当する。
【００２２】
本実施形態では、Ｙ軸方向に沿って有底の長溝２０，３０が寝具１０に形成されている。即ち、寝具１０は、それに横たわった使用者の頭部が位置する一端部１０ａから、他端部１０ｂに向かって逆ハ字形状に延びる長溝２０，３０を２本備えている。長溝２０，３０は、寝具１０のＹ軸方向に沿ってＸ軸方向中心に位置する中心軸Ｐを挟んで、両側に対称形状をなすように位置している。寝具１０の一端部１０ａに向いた長溝２０，３０の一端側は、使用者１００が枕に頭を載せたときに肩が触れる範囲の近傍に位置している（図４〜図７参照）。また、寝具１０の他端部１０ｂに向いた長溝２０，３０の他端側は、寝具１０のＹ軸方のほぼ中央（中心軸Ｑの付近）に位置している。
【００２３】
図１(A)や図１(B)に示すように、長溝２０，３０の溝幅ｗや溝深さｄは、使用者１００の体格や骨格に基づいて適宜定められる。成人の標準体型用では、例えば、溝幅ｗが約７０mm（ミリメートル）、溝深さｄが約５０mmにそれぞれ設定される。この場合、寝具１０の厚さｔは、例えば約８０mmである。なお、溝幅ｗは、成人の標準的な肩部の厚さ（上腕骨大結節の幅（約５０mm）に軟部組織の厚さ（約１０mm）の２倍を加えた値）に相当するものであり、最低必要な値よりも広く（例えば１．５倍〜２倍）設定しても良い。これにより、使用者１００の寝返り位置に対する許容幅や体格の違いによる骨格の個人差等を吸収することが可能になる。
【００２４】
図２に示すように、長溝２０，３０は、複数の溝に分割しても良い。この場合、例えば、長溝２０は上側溝２１および下側溝２３により、また長溝３０は上側溝３１および下側溝３３により、それぞれ構成する。即ち、長溝２０，３０は、図１に示すように、連続した１本の溝でも良いし、また図２に示すように一部において溝が存在しない溝無し部位２２，３２を含む不連続溝にしても良い。長溝２０，３０の溝の形態およびその組み合わせは任意であり、例えば、次に説明をする図３(A)に示すように、２本の長溝２０，３０のうち、一方を上側溝２１、溝無し部位２２および下側溝２３からなる不連続な長溝２０、他方を連続した長溝３０、というようにそれぞれ別々に設定しても良い。
【００２５】
なお、上側溝２１，３１を長溝２０，３０の一端側の溝、下側溝２３，３３を長溝２０，３０の他端側の溝、とすると、本実施形態では、図２(A)に示すように、他端側の下側溝２３，３３は、この寝具１０のＹ軸方向ほぼ中央まで延びているが、長溝２０，３０の長さや、逆ハ字形状の開き角度は、次に図３を参照して説明するように、使用者１００の骨格に基づいて設定されている。図１(A)や図２(A)に示す軸Ｑは、寝具１０のＹ軸方向中心に位置している。
【００２６】
本実施形態では、長溝２０，３０は底のある有底の溝に構成したが、例えば、図１(C)や図２(C)に示すように、寝具１０の表裏を貫通した溝、つまり底のない長溝２０’，２１’，２３’で構成しても良い。これにより、有底の長溝２０，３０に比べて、寝具１０’の加工作業や縫製作業が容易になるため、短期間に寝具１０’を製造することができ製造コストが安くなる。
【００２７】
次に、図３を参照して長溝２０，３０の配置例を説明する。図３(A)に示すように、長溝２０，３０は、寝具１０の一端部１０ａから他端部１０ｂに向かって逆ハ字形状に延びており、原則として、寝具１０の中心軸Ｐを中心に線対称に配置されている。長溝２０，３０は、枕を置く位置のやや下側（紙面下方）から始まっている。
【００２８】
このような逆ハ字形状の配置は、図３(B)に示すように、使用者１００の骨格に基づくもので、例えば、長溝２０，３０のそれぞれ中心を通る傾斜軸Ｒ，Ｓは、寝具１０の中心軸Ｐに対して角度θｒ，θｓで傾いている。これらθｒとθｓの和が逆ハ字形状の開き角度になる。傾斜軸Ｒは、図８(B)を参照して説明をした軸Ｊに相当し、また傾斜軸Ｓは、図８(C)を参照して説明をした軸Ｋに相当する。
【００２９】
例えば、傾斜軸Ｒの角度θｒは、使用者１００が仰臥位で寝具１０に横たわった場合、使用者１００の右肩甲骨１０２の肩峰外端１０２ａと右大腿骨１０８の大転子１０８ａとを結んだ（または右上腕大結節１０２ｂと右大腿骨１０８の大転子１０８ａとを結んだ）結線ｒの傾きに一致しており、この結線ｒを寝具１０の表面に投射した投射線ｒ’上に投射線ｒ’を含んで長溝２０が位置している。つまり、投射線ｒ’の長さが長溝２０の長さになる。
【００３０】
また、傾斜軸Ｓの角度θｓは、使用者１００が仰臥位で寝具１０に横たわった場合、使用者１００の左肩甲骨１０３の肩峰外端１０３ａと左大腿骨１０９の大転子１０９ａとを結んだ（または左上腕大結節１０３ｂと左大腿骨１０９の大転子１０９ａとを結んだ）結線ｓの傾きに一致しており、この結線ｓを寝具１０の表面に投射した投射線ｓ’上に投射線ｓ’を含んで長溝３０が位置する。投射線ｓ’の長さが長溝３０の長さになる。本実施形態では、長溝２０，３０は同じ長さに設定されており、成人の標準体型用の場合、例えば８０cmに設定されている。
【００３１】
長溝２０と長溝３０の間隔も、使用者１００の骨格に基づいている。即ち、寝具１０の一端部１０ａの側の端部距離α’は、右肩甲骨１０２の肩峰外端１０２ａと左肩甲骨１０３の肩峰外端１０３ａとの（または右上腕大結節１０２ｂと左上腕大結節１０３ｂとの）間隔αの大きさ相当に設定されている。また、寝具１０の他端部１０ｂの側の端部距離β’は、右大腿骨１０８の大転子１０８ａと左大腿骨１０９の大転子１０９ａとの間隔βの大きさ相当に設定されている（図３(B)参照）。本実施形態では、成人の標準体型用の場合、端部距離α’は例えば５０cm、また端部距離β’は３５cm、にそれぞれ設定されている。図３(C)には、使用者１００の左側方から見た骨格と結線ｓ（または結線ｒ）との位置関係が図示されている。
【００３２】
このように寝具１０を構成することにより、［発明が解決しようとする課題］の欄で述べたように、睡眠中の使用者１００が、左肩が寝具１０に接するように右肩を上方に向けて体を回転させる寝返りを打った場合（図８(A)に示す仰臥位Ｈから図８(C)に示す側臥位Ｈ”）、殿部１４０を中心に体が移動する。そのため図４(A)に示す側臥位の姿勢になる。つまり、中心軸Ｐに対してほぼ角度θｓで傾いた傾斜軸Ｓに沿うような姿勢の側臥位をとる。このため、図５(A)に示すように、使用者１００の左側の肩部１３０Ｌは、長溝３０の一端部１０ａ側に入り、また左側の殿部１４０Ｌは、長溝３０の他端部１０ｂ側に入り込む。なお、肩部１３０および殿部１４０においては、左右を区別する場合、「Ｌ」や「Ｒ」の添え字を付すことにする。
【００３３】
また、睡眠中の使用者１００が、右肩が寝具１０に接するように、左肩を上方に向けて体を回転させる寝返りを打った場合にも（図８(A)に示す仰臥位Ｈから図８(B)に示す側臥位Ｈ’）、殿部１４０を中心に体が移動する。そのため、使用者１００’は、図４(A)に二点鎖線で示す側臥位の姿勢をとり、中心軸Ｐに対してほぼ角度θｒで傾いた傾斜軸Ｒに沿うような姿勢になる。このため、図示されていないが、使用者１００’の右側の肩部１３０Ｒは、長溝２０の一端部（上端）側に入り、また右側の殿部１４０Ｒは、長溝２０の他端部（下端）側に入り込む。
【００３４】
なお、図４(A)においては、左右両側の足部１５０を折り曲げた（両股関節や膝関節を曲げた）姿勢の側臥位を例示しているが、寝具１０に接する側の足部１５０（使用者１００では左足、使用者１００’では右足）を折り曲げることなく伸ばした（両股関節や膝関節を伸展した）姿勢の側臥位においても、上述と同様に、使用者１００，１００’の肩部１３０や殿部１４０が長溝２０，３０に入り込み得ることは言うまでもない。また、図４(B)に示すように、中心軸Ｐに顔を向ける姿勢の側臥位をとる使用者１００”についても、長溝２０，３０に肩部１３０や殿部１４０が入り込み得ることは同様である。
【００３５】
これらは、［課題を解決するための手段］の欄で述べたように、使用者１００が寝返りを打つ場合、殿部（骨盤）１４０は左右方向に移動し難いのに対し、上半身は左右の肩甲骨１０２，１０３の肩峰外端１０２ａ，１０３ａ（または左右の上腕大結節１０２ｂ，１０３ｂ）を支承にして左右方向に移動し易い。つまり、寝返り時においては、殿部１４０よりも肩部１３０の方が振れ幅が大きいため、寝返り後の側臥位が傾斜軸Ｒ，Ｓに沿った姿勢になることに基づく。
【００３６】
即ち、使用者１００の肩部１３０において左右両側に最も張り出している左右の肩甲骨１０２，１０３の肩峰外端１０２ａ，１０３ａ（または左右の上腕大結節１０２ｂ，１０３ｂ）と、使用者１００の殿部１４０において左右両側に最も張り出している左右の大腿骨１０８，１０９の大転子１０８ａ，１０９ａと、を結んだ結線ｒ，ｓ上に結線ｒ，ｓを含んで位置する長溝２０，３０内に、肩部１３０から殿部１４０に至る使用者１００の左右両側が収容される。これにより、使用者１００の肩部１３０においては上腕部も長溝２０，３０の上端側内に収容されることから、上腕部が寝具１０に圧迫され難くなる。そのため使用者１００の上位胸椎における腕の痺れが生じ難い。また、使用者１００の殿部１４０においては左右の腸骨１０６，１０７や大腿骨１０８，１０９の大転子１０８ａ，１０９ａも長溝２０，３０の下端側内に収容されることから、これらが寝具１０に圧迫され難くなる。そのため、使用者１００の腰椎に歪みが生じ難い。また、長溝２０，３０がそれぞれ連続した１本の溝で構成されていることにより、長溝２０，３０の上下端の間にも空間が形成される。この間には、使用者１００の肩部１３０と殿部１４０の間、つまり側臥位においては左右の肋骨１０４，１０５が位置するが、このような空間が形成されることで、個人差により胸椎の長さが異なったり、また呼吸運動による肋骨１０４，１０５の位置変動を吸収することが可能になる。
【００３７】
なお、長溝２０を上側溝２１と下側溝２３に分割し、また長溝３０を上側溝３１と下側溝３３に分割した場合には、図５(B)に示すように、図３(B)に示す左肩甲骨１０３の肩峰外端１０３ａ（または左上腕大結節１０３ｂ）や左肋骨１０５の最外部が長溝３０の上側溝３１内に入り込み、また同図に示す左大腿骨１０９の大転子１０９ａや左腸骨１０７が長溝３０の下側溝３３内に入り込む。図示されていないが、同様に、右肩甲骨１０２の肩峰外端１０２ａ（または右上腕大結節１０２ｂ）や右肋骨１０４の最外部が長溝２０の上側溝２１内に入り込み、また同図に示す右大腿骨１０８の大転子１０８ａや右腸骨１０６が長溝２０の下側溝２３内に入り込む。
【００３８】
即ち、使用者１００の肩部１３０においては上腕部も上側溝２１，３１内に収容されることから、上腕部が寝具１０に圧迫され難くなる。そのため、使用者１００の上位胸椎における腕の痺れが生じ難い。また、使用者１００の殿部１４０においては左右の腸骨１０６，１０７や大腿骨１０８，１０９の大転子１０８ａ，１０９ａも下側溝２３，３３内に収容されることから、これらが寝具１０に圧迫され難くなる。そのため、使用者１００の腰椎に歪みが生じ難い。
【００３９】
また、長溝２０や長溝３０を分割して構成したことによって、上側溝２１，３１と下側溝２３，３３との間には、溝無し部位２２，３２が位置する。この溝無し部位２２，３２には、肋骨と腸骨との間、つまり使用者１００の左右両側に張り出す骨がない部位（くびれ部位）が当接する。具体的には、溝無し部位２２には、図３(B)に示す右肋骨１０４と右腸骨１０６の間が当接し、また溝無し部位３２には、図３(B)に示す左肋骨１０５と左腸骨１０７の間が当接する。これにより、図１に示す長溝２０，３０のように、連続した長溝が形成されている場合に比べて、使用者１００の左右両側に張り出していない、くびれ部位においては、寝具１０の表面との間に隙間ができ難い。よって、安定感やフィット感を使用者１００に与えることができる。
【００４０】
図５(C)に示すように、左肩甲骨１０３の肩峰外端１０３ａまたは左上腕大結節１０３ｂが長溝３０内に入り込んだ場合には、そのぶん、使用者１００の左側の肩部１３０Ｌが長溝３０内に沈み込む。そのため、使用者１００の頭部１１０と寝具１０との離隔距離が縮まることから、このような長溝３０が寝具１０に形成されていない場合と比べて、側臥位における頭部１１０の負担を軽減することができる。即ち、長溝３０の溝深さを調整することにより、使用者１００の側臥位における枕５０の高さｈを、図５(D)に示す仰臥位で就寝した場合（使用者２００）の最適な枕５０の高さｈ’に近づけることが可能になり、頸椎に歪みを生じ難くすることができる。長溝２０についても同様であり、また長溝２０，３０を分割した場合の上側溝２１，３１についても同様である。
【００４１】
本実施形態の寝具１０では、長溝２０，３０の配置を使用者１００の骨格に基づき、仰臥位で寝具１０に横たわった使用者２００の右肩甲骨１０２の肩峰外端１０２ａまたは右上腕大結節１０２ｂと右大腿骨１０８の大転子１０８ａとを結んだ結線ｒを寝具１０の表面に投射した投射線ｒ’上に投射線ｒ’を含んで長溝２０を位置させ、また当該使用者２００の左肩甲骨１０３の肩峰外端１０３ａまたは左上腕大結節１０３ｂと左大腿骨１０９の大転子１０９ａとを結んだ結線ｓを寝具１０の表面に投射した投射線ｓ’上に投射線ｓ’を含んで長溝３０を位置させている。また、長溝２０，３０の溝幅ｗを幅広の約７０mm（または最低必要な値よりも広く（例えば１．５倍〜２倍））に設定している。
【００４２】
これにより、図６(A)に示すように、使用者２００が正中線（背骨１０１）を中心軸Ｐに沿った仰臥位で寝具１０に横たわった場合には、右肩甲骨１０２の肩峰外端１０２ａまたは右上腕大結節１０２ｂを中心とした右側の肩部１３０Ｒや右大腿骨１０８の大転子１０８ａを中心とした右側の殿部１４０Ｒが長溝２０内に位置し、また左肩甲骨１０３の肩峰外端１０３ａまたは左上腕大結節１０３ｂを中心とした左側の肩部１３０Ｌや左大腿骨１０９の大転子１０９ａを中心とした左側の殿部１４０Ｌが長溝３０内に位置する。そのため、使用者２００の背中側が寝具１０に密着することから、殿部１４０が安定して仙骨１０１ｐ（図３参照）の部分が寝具１０に当接することによる不安定感を解消することが可能になる。
【００４３】
なお、本実施形態では、長溝２０を上側溝２１と下側溝２３に、また長溝３０を上側溝３１と下側溝３３に、それぞれ２分割したが、前述した結線ｒ，ｓを寝具１０の表面に投射した投射線ｒ’，ｓ’上で投射線ｒ’，ｓ’の一部を含む位置であれば、(a)肩甲骨の左右の肩峰が入る溝、(b)肋骨の左右の最外部が入る溝、(c)左右の腸骨が入る溝、および(d)大腿骨の左右の大転子が入る溝、をそれぞれ独立して設けても良い。図１に示す長溝３０のように連続した１本の溝であっても、これら(a)〜(d)の各溝の形成位置の溝深さを深く、(a)〜(d)の各溝の形成位置以外の溝深さを浅く設定した連続溝を構成しても良い。これにより、これら(a)〜(d)の各溝に、肩峰等が適切に位置した場合には、さらなる安定感やフィット感を使用者１００に与えることができる。
【００４４】
また、図７に示すように、中心軸Ｐに沿った長溝４０を寝具１０’に設けても良い。例えば、図７(A)に示すように、長溝２０と長溝３０の間に中心軸Ｐに沿う長溝４０を形成する。これにより、図７(B)に示すように、寝具１０’の中心軸Ｐに沿った側臥位の姿勢で就寝した場合においても、使用者１００の肩部１３０Ｌ，１３０Ｒや殿部１４０Ｌ，１４０Ｒが長溝４０内に入り込む。そのため、上述した長溝２０，３０と同様に、側臥位における使用者１００の上位胸椎での腕の痺れや、腰椎および頸椎の歪みを生じ難くすることが可能になる。また、図示していないが、例えば、長溝２０の上側溝２１と長溝３０の上側溝３１との間に長溝４０の一部を構成する上側溝を形成し、また長溝２０の下側溝２３と長溝３０の下側溝３３との間に長溝４０の一部を構成する下側溝を寝具１０’に形成する。この場合には、使用者１００の肩部１３０Ｌ，１３０Ｒが長溝４０の上側溝内に入り、また殿部１４０Ｌ，１４０Ｒが長溝４０の下側溝内に入り込む。そのため、上述した長溝２０，３０と同様に、側臥位における使用者１００の上位胸椎での腕の痺れや、腰椎および頸椎の歪みを生じ難くすることが可能になる。
【００４５】
以上説明したように本実施形態に係る寝具１０によると、寝具１０に横たわった使用者１００の頭部１１０が位置する一端部１０ａ側から他端部１０ｂ側に向かって逆ハ字形状に延びる２本の長溝２０，３０を備える。そして、一方の長溝２０は、使用者１００が仰臥位で寝具１０に横たわった場合において、使用者１００の右肩甲骨１０２の肩峰外端１０２ａまたは右上腕大結節１０２ｂと右大腿骨１０８の大転子１０８ａとを結んだ結線ｒを使用者１００の表面に投射した一方の投射線ｒ’を含んで位置し、他方の長溝３０は、使用者１００の左肩甲骨１０３の肩峰外端１０３ａまたは左上腕大結節１０３ｂと左大腿骨１０９の大転子１０９ａとを結んだ結線ｓを寝具１０の表面に投射した他方の投射線ｓ’を含んで位置する。
【００４６】
これにより、使用者１００が睡眠中に寝返りを打って、図８(A)に示す仰臥位Ｈから、図８(B)に示す側臥位Ｈ’や図８(C)に示す側臥位Ｈ”の姿勢をとった場合、肩部１３０Ｒ，１３０Ｌにおいて左右両側に最も張り出している左右の肩甲骨１０２，１０３の肩峰外端１０２ａ，１０３ａまたは左右の上腕大結節１０２ｂ，１０３ｂと、殿部１４０において左右両側に最も張り出している左右の大腿骨１０８，１０９の大転子１０８ａ，１０９ａと、を結んだ結線ｒ，ｓを含んで位置する長溝２０，３０内に、肩部１３０から殿部１４０に至る使用者１００の左右両側が収容される。
【００４７】
このため、(1)使用者１００の頸部１２０が寝具１０に接近することから、側臥位における枕５０の高さｈ’が仰臥位に合わせた枕の高さｈに近づく。そのため、使用者１００の頸部１２０に歪みを生じ難くする。また、(2)使用者１００の肩部１３０においては、上腕部も長溝２０，３０の上側溝２１，３１内に収容されることから、上腕部が寝具１０に圧迫され難くなる。そのため、使用者１００の上位胸椎における腕の痺れを生じ難くする。さらに、(3)使用者１００の殿部１４０においては、左右の腸骨１０６，１０７や左右の大腿骨１０８，１０９の大転子１０８ａ，１０９ａも長溝２０，３０の下側溝２３，３３内に収容されることから、これらが寝具１０に圧迫され難くなる。そのため、使用者１００の腰椎に歪みを生じ難くする。したがって、寝具１０は、側臥位で横たわっても使用者１００の身体に悪影響を与え難くすることができる。
【００４８】
なお、上述した寝具１０は、成人の標準体型用の場合を例示して説明したが、使用者１００の体型や骨格に合わせて、上記の結線ｒ，ｓを測定して投射線ｒ’，ｓ’を求め、当該使用者１００に専用の寝具１０を構成しても良い。個人差によって長溝２０と長溝３０の長さが異なる場合もあり得る。これにより、当該使用者１００の体型や骨格に整合させてカスタマイズした当該使用者１００に専用の寝具１０を構成することが可能になる。したがって、当該使用者１００の身体に悪影響をより与え難くすることができる。
【００４９】
また、上述した寝具１０では、中心軸Ｐを中心に線対称に長溝２０，３０を配置したが、これに限られることはなく、例えば、中心軸Ｐに対して、長溝２０が長溝３０よりも接近する位置関係や、逆に長溝３０が長溝２０よりも接近する位置関係で長溝２０，３０を配置しても良い。これにより、長溝２０や長溝３０が中心軸Ｐに対して偏心した位置に設けられることになるので、寝返りの癖等の使用者１００のニーズに合わせた寝具１０を構成することができる。
【００５０】
上述した実施形態の寝具１０を上下逆にして使用しても良い。即ち、寝具１０の他端部１０ｂの側に使用者１００の頭部１１０が位置するように、また寝具１０の一端部１０ａの側に使用者１００の足部１５０が位置するように、寝具１０の上下を反転させて使用する。これにより、使用者１００の殿部１４０よりも下側、つまり足部１５０に長溝２０，３０がハ字形状に開いて位置する。そのため、例えば、図６(A)に示す仰臥位の姿勢で就寝する使用者２００の左右足が長溝２０，３０内に入り込むことから、下腿骨付近の脹脛（ふくらはぎ）や踵骨付近の踵（かかと）の高さが低くなり、使用者２００を楽な気分にさせることができる。また、寝具１０に接する側の足部１５０（図４(A)に示す使用者１００では左足、使用者１００’では右足）を折り曲げることなく伸ばした姿勢の側臥位で就寝した場合には、寝具１０に接する側の足部１５０が長溝２０，３０内に入り込む。そのため、大腿骨付近の太股（ふともも）の高さが低くなり、この場合にも使用者２００を楽な気分にさせることができる。
【符号の説明】
【００５１】
１０…寝具
１０ａ…一端部（一端側）
１０ｂ…他端部（他端側）
２０…長溝（２本の長溝、一方の長溝）
３０…長溝（２本の長溝、他方の長溝）
５０…枕
１００，１００’，１００”，２００，２００’…使用者
１０１ｐ…仙骨
１０２…右肩甲骨
１０２ａ…肩峰外端（右肩甲骨の肩峰外端）
１０２ｂ…上腕大結節（右上腕大結節）
１０３…左肩甲骨
１０３ａ…肩峰外端（左肩甲骨の肩峰外端）
１０３ｂ…上腕大結節（左上腕大結節）
１０４…右肋骨
１０５…左肋骨
１０８…右大腿骨
１０８ａ…大転子（右大腿骨の大転子）
１０９…左大腿骨
１０９ａ…大転子（左大腿骨の大転子）
１１０…頭部
１２０…頸部
１３０，１３０Ｌ，１３０Ｒ…肩部
１４０，１４０Ｌ，１４０Ｒ…殿部
１５０…足部
Ｈ…仰臥位
Ｈ’，Ｈ”…側臥位
Ｐ，Ｑ…中心軸
Ｒ，Ｓ…傾斜軸
ｒ…結線（右肩甲骨の肩峰外端または右上腕大結節と右大腿骨の大転子とを結んだ線）
ｒ’…投射線（一方の線）
ｓ…結線（左肩甲骨の肩峰外端または左上腕大結節と左大腿骨の大転子とを結んだ線）
ｓ’…投射線（他方の線）
【図１】
2015002937.tif 000003
【図２】
2015002937.tif 000004
【図３】
2015002937.tif 000005
【図４】
2015002937.tif 000006
【図５】
2015002937.tif 000007
【図６】
2015002937.tif 000008
【図７】
2015002937.tif 000009
【図８】
2015002937.tif 000010